(57)【要約】【課題】レンズ鏡筒を有するカメラにおいて、レンズ鏡筒の前面や側面等に外部からの過大な衝撃が加わった場合、その衝撃を吸収して外装部材の変形や破損を抑止し得ると共に、これら外装部材を介して内部構成部材へと伝わる衝撃力を低減して、衝撃力がレンズ鏡筒に及ぼす悪影響を抑止する耐衝撃性能を備えたカメラ及びレンズ鏡筒を提供する。【解決手段】レンズ鏡筒１を有するカメラにおいて、レンズ鏡筒を形成する枠部材２０と、枠部材の外面を覆う外装部材１２ｄと、枠部材と外装部材との間に配置された衝撃吸収部材５６とを備えてなる。【選択図】図３
2009157245.tif 000002
【特許請求の範囲】
【請求項１】
レンズ鏡筒を有するカメラにおいて、
上記レンズ鏡筒を形成する枠部材と、
上記枠部材の外面を覆う外装部材と、
上記枠部材と上記外装部材との間に配置された衝撃吸収部材と、
を具備することを特徴とするカメラ。
【請求項２】
上記枠部材の光軸方向の端面と上記外装部材の光軸と垂直な面である内面との間に光軸方向に空間を有することを特徴とする請求項１に記載のカメラ。
【請求項３】
上記衝撃吸収部材は、上記枠部材の外周面と上記外装部材の内周面との間に配置されていることを特徴とする請求項１または請求項２のいずれかに記載のカメラ。
【請求項４】
上記外装部材は、上記枠部材に対して上記衝撃吸収部材をせん断変位させるように配設されていることを特徴とする請求項３に記載のカメラ。
【請求項５】
レンズ鏡筒において、
上記レンズ鏡筒を形成する枠部材と、
上記枠部材の外面を覆う外装部材と、
上記枠部材と上記外装部材との間に配置された衝撃吸収部材と、
を具備することを特徴とするレンズ鏡筒。
【請求項６】
上記枠部材の光軸方向の端面と上記外装部材の光軸と垂直な面である内面との間に光軸方向に空間を有することを特徴とする請求項５に記載のレンズ鏡筒。
【請求項７】
上記衝撃吸収部材は、上記枠部材の外周面と上記外装部材の内周面との間に配置されていることを特徴とする請求項５または請求項６のいずれかに記載のレンズ鏡筒。
【請求項８】
上記外装部材は、上記枠部材に対して上記衝撃吸収部材をせん断変位させるように変位可能に構成されていることを特徴とする請求項７に記載のレンズ鏡筒。
【発明の詳細な説明】
【技術分野】
【０００１】
この発明は、カメラ及びレンズ鏡筒、詳しくは光学レンズ群を光軸方向に進退自在に保持する複数の枠部材等からなるレンズ鏡筒と、このレンズ鏡筒を有するカメラに関し、さらに詳しくは当該レンズ鏡筒及びカメラにおける耐衝撃構造に関するものである。
【背景技術】
【０００２】
従来、写真撮影機能を有するカメラは、使用者が気軽に携帯して持ち歩き、所望のときに取り出して使用することができるような構成となっているのが普通である。したがって、カメラの使用中やもしくはカメラの運搬中等に、そのカメラを使用者が意図せずに他の構造物等に対して衝突させたり、ハンドリングの誤り等によって床面等に落下させてしまう等の可能性がある。
【０００３】
一方、従来のカメラにおいては、複数のレンズ群をそれぞれ保持する複数のレンズ枠が所定のときに所定の移動量で光軸方向に進退されるように構成されたレンズ鏡筒を有しているものが一般に普及している。
【０００４】
このようなレンズ鏡筒を有するカメラは、その使用中の形態としては、カメラ本体部分からレンズ鏡筒が前方に向けて突出した形状となるものが多い。このような形態のカメラを他の構造物に衝突させたり落下させたりした場合には、突出部分であるレンズ鏡筒の前面部分や先端寄りの側面部分に対して過大な衝撃が加わる可能性が多いと考えられる。このような場合には、その衝撃力が直接加わった部分を変形させたり破損させる等の影響を与えるだけでなく、内部構造物に対しても悪影響を与える可能性がある。
【０００５】
そこで、レンズ鏡筒前面に瞬間的に加わる過大な衝撃を吸収して、レンズ鏡筒の構成部材の変形や破損を抑止するための構造については、従来、種々の提案がなされている。
【０００６】
例えば、特開平８−１１０４５４号公報によって開示されているレンズ鏡筒では、カム筒に形成されるカム溝に摺動可能に嵌合するカム軸を備えた支持部材と、この支持部材を保持する保持部材と、支持部材を保持部材に移動可能に嵌合させると共に、衝撃を吸収する衝撃吸収部材を設けて構成している。これによれば、レンズ間隔の安定化を図るスプリング等の衝撃吸収部材を利用してレンズ鏡筒の前面に加わる過大な衝撃力を吸収するというものである。
【特許文献１】特開平８−１１０４５４号公報
【発明の開示】
【発明が解決しようとする課題】
【０００７】
ところが、上記特開平８−１１０４５４号公報によって開示されている手段では、レンズ鏡筒の前面側の外面に設けられる構成部品、例えばキャップ部材や装飾板部材等の外装部材自体に直接加わる衝撃を吸収することができないという問題点がある。
【０００８】
カメラのレンズ鏡筒におけるキャップ部材や装飾板部材等の外装部材は、例えばそのカメラの外観を特徴付けたり、外観品位を確保するために設けられるという目的もある。そのために、これらの外装部材が変形したり破損したりした場合には、たとえ、カメラとしての機能に問題が生じない程度の影響であったとしても、カメラの外観品位を損ねてしまう等の問題点がある。また、レンズ鏡筒に加わった衝撃力が過大であれば、これら外装部材を介して内部の構成部材に対しても悪影響が及ぶ可能性がある。
【０００９】
例えば、従来のレンズ鏡筒においては、筒形状の枠部材の先端側に、当該枠部材の前面の外周縁部を覆うようにキャップ部材が配設されるような構造のものが一般である。
【００１０】
図５は、従来のレンズ鏡筒のレンズ光軸を含む断面における要部拡大断面図であって、枠部材１２０の先端部分にキャップ部材１１２ｄが取り付けられている状態を示している。
【００１１】
この場合において、略円環状のキャップ部材１１２ｄは、略筒形状の枠部材１２０の先端部に対して、その外周縁部を覆うようにして嵌合される。このとき、キャップ部材１１２ｄの内周面と枠部材１２０の外周面とは密着した状態で嵌合される。そして、両者間は、接着剤等を用いて固着される。
【００１２】
レンズ鏡筒の外装部材を上述のような形態で構成した場合において、レンズ鏡筒のキャップの上から前面や側面に対して、例えば図５の矢印Ｆ１，Ｆ２方向からの衝撃力が加わったとすると、その衝撃は、まずキャップ部材１１２ｄ自体を変形または破損させたり、当該キャップ部材１１２ｄを介してこれに密着する枠部材１２０へと伝わって、同枠部材１２０を変形または破損させてしまう可能性がある。
【００１３】
本発明は、上述した点に鑑みてなされたものであって、その目的とするところは、レンズ鏡筒を有するカメラにおいて、レンズ鏡筒の前面や側面等に外部からの過大な衝撃が加わった場合、その衝撃を吸収して外装部材を介して内部構成部材へと伝わる衝撃力を低減して、衝撃力がレンズ鏡筒に及ぼす悪影響を抑止する耐衝撃性能を備えたカメラ及びレンズ鏡筒を提供することである。
【課題を解決するための手段】
【００１４】
上記目的を達成するために、本発明によるカメラは、レンズ鏡筒を有するカメラにおいて、上記レンズ鏡筒を形成する枠部材と、上記枠部材の外面を覆う外装部材と、上記枠部材と上記外装部材との間に配置された衝撃吸収部材と、を具備することを特徴とする。
【００１５】
本発明によるレンズ鏡筒は、レンズ鏡筒において、上記レンズ鏡筒を形成する枠部材と、上記枠部材の外面を覆う外装部材と、上記枠部材と上記外装部材との間に配置された衝撃吸収部材と、を具備することを特徴とする。
【発明の効果】
【００１６】
本発明によれば、レンズ鏡筒を有するカメラにおいて、レンズ鏡筒の前面や側面等に外部からの過大な衝撃が加わった場合、その衝撃を吸収して外装部材を介して内部構成部材へと伝わる衝撃力を低減して、衝撃力がレンズ鏡筒に及ぼす悪影響を抑止する耐衝撃性能を備えたカメラ及びレンズ鏡筒を提供することができる。
【発明を実施するための最良の形態】
【００１７】
以下、図示の実施の形態によって本発明を説明する。
【００１８】
図１〜図４は、本発明の一実施形態を示す図である。このうち図１は、本実施形態のレンズ鏡筒の構成を示す分解斜視図である。なお、図１においては、当該レンズ鏡筒の後端側に配置され、実際にはカメラの内部に配設される撮像ユニットを併せて図示している。図２は、本実施形態のレンズ鏡筒の光軸に沿う断面図である。なお、図２においては本レンズ鏡筒が撮影待機状態において最短焦点位置（ワイド位置）に設定されている状態を示している。図３は、本実施形態のレンズ鏡筒における一群枠の外装部材の構成を示す要部拡大分解斜視図である。図４は、本実施形態のレンズ鏡筒の一群枠の外装部材の先端部近傍の断面の一部を拡大して示す要部拡大断面図である。なお、図４は、図２の矢印［ＩＶ］で示す部位を拡大し簡略化して示している。なお、図３，図４では、一群枠の構成部材のうち一群レンズ保持枠と外装部材を主に示し、一群枠の他の構成部材については省略して図示している。
【００１９】
以下の説明においては、レンズ鏡筒における撮影光学系の光軸を符号Ｏで表すものとする。この光軸Ｏに沿う方向において被写体側を前方とし、当該レンズ鏡筒における各鏡枠が、この前方に向かう際の方向を繰り出し方向というものとする。一方、同光軸Ｏに沿う方向において結像側を後方とし、各鏡枠が後方に向かう際の方向を繰り込み方向というものとする。当該レンズ鏡筒における各部材の回転方向は、前方側から見た回転方向で表わすものとする。
【００２０】
本実施形態のカメラに設けられるレンズ鏡筒は、光軸Ｏに沿う方向に突出して撮影をおこない得る撮影状態と、当該レンズ鏡筒が適用されるカメラ（特に図示せず）等の筐体内に収納された状態の非撮影状態（沈胴状態）とに変位自在に構成され、撮影状態にあるときには短焦点位置（ワイド位置）と長焦点位置（テレ位置）との間で変倍動作（ズーミング）が可能となるように構成されるズームレンズ鏡筒を例に挙げて説明する。
【００２１】
まず、本発明の一実施形態のカメラにおけるレンズ鏡筒の概略的な構成について、図１，図２を用いて説明する。
【００２２】
本実施形態のレンズ鏡筒１は、図１に示すように、カメラ本体（図示せず）に固定される固定枠２と、固定枠２に支持されてズーミング時や沈胴動作時に駆動源となる駆動モータ（図示せず）の駆動力によって回転及び進退駆動される回転枠３と、光軸方向に進退し、回転枠３に対し相対的に光軸Ｏに沿う方向の進退移動が規制された状態でかつ、回転可能な移動枠４と、回転枠３と一体に回転し回転枠３に対して光軸Ｏに沿う方向に進退移動するカム枠５と、カム枠５の後端側に固定保持されカム枠５と後述の直進ガイド枠６とをバヨネット結合するバヨネットプレート１９と、回転が規制された状態でカム枠５と共に光軸Ｏに沿う方向に進退する直進ガイド枠６と、回転が規制された状態で回転枠３によって光軸Ｏに沿う方向に進退駆動されシャッター機構や退避レンズ枠である三群枠１０を内部に有するシャッター及び三群ユニット３２と、回転が規制された状態でカム枠５によって光軸Ｏに沿う方向にそれぞれ進退駆動される二群枠１１及び一群枠１２と、フォーカシング時や沈胴動作時に光軸Ｏに沿う方向に進退駆動されるフォーカシングレンズ枠である四群枠１３と、一群枠１２に保持される一群レンズ２１（図１では図示せず。図２参照），二群枠１１に保持される二群レンズ２２，三群枠１０に保持される退避レンズである三群レンズ２３，四群枠１３に保持されるフォーカシングレンズである四群レンズ２４からなる撮影光学系と、固定枠２の後端に固定される保持プレート１５等によって構成される。
【００２３】
レンズ鏡筒１の後側には撮像ユニット３３が装着されている。この撮像ユニット３３は、センサ基台１６と、このセンサ基台１６の略中央部に固設される撮像素子２６及び光学ローパスフィルタ２５等によって構成されている。そして、この撮像ユニット３３は、保持プレート１５が取り付けられた固定枠２の後端面に対してセンサ基台１６がビス止め固定され、これによってレンズ鏡筒１の後側に固定保持されている。
【００２４】
固定枠２は、円筒状に形成されており、その内周部に光軸Ｏに対して傾斜する方向に形成される傾斜カム溝部と円周に沿う方向に形成される円周溝部とが連接してなるカム溝２ａと、光軸Ｏに沿う方向に形成される直進溝２ｂ，２ｃ（符号２ｃについては不図示）とを有している。
【００２５】
また、固定枠２の外周部には、撮影光学系のズーミング動作をおこなうためのユニットであって、ズーム駆動源であるズームモータ（図示せず）や、このズームモータの駆動力を伝達するギヤー列，ロングギヤー４５等からなるズーミングユニット１７と、撮影光学系のフォーカシング動作をおこなうためのユニットであって、フォーカス駆動源であるフォーカスモータ，フォーカスモータの駆動力を伝達するギヤー列，送りねじ（いずれも図示せず）及びガイド軸５７（図１では図示せず。図２参照）等からなるフォーカシングユニット１８とが配設されている。
【００２６】
ズーミングユニット１７は、ズームモータにより本レンズ鏡筒１の撮影光学系のうちズーミング動作に寄与するズーム光学系（一群レンズ２１，二群レンズ２２，三群レンズ２３）を光軸Ｏに沿う方向に駆動するズーム駆動機構であり、さらに、本レンズ鏡筒１を撮影状態から非撮影状態へと駆動する沈胴動作をもおこなう。
【００２７】
フォーカシングユニット１８は、フォーカスモータにより本レンズ鏡筒１の撮影光学系のうちフォーカシング動作に寄与するフォーカシング光学系（四群レンズ２４）を光軸Ｏに沿う方向に駆動するフォーカス駆動機構としての役目をしている。
【００２８】
なお、ロングギヤー４５は、光軸Ｏに平行となる方向に沿って固定枠２の内周部に露呈した状態で回動自在に支持されている。また、ガイド軸５７は、図２に示すように、光軸Ｏに平行となる方向に沿って固定枠２の固定部と固定枠２に固定されたフタ４６との間で軸支されている。そして、このガイド軸５７は、四群枠１３（フォーカシングレンズ枠）の軸穴１３ａに貫通している。これにより、当該四群枠１３は光軸方向に移動自在となっている。
【００２９】
回転枠３は、円筒状に形成されており、固定枠２の内周部に回動及び進退自在な状態で嵌入している。回転枠３の外周後方部には、固定枠２のカム溝２ａに摺動自在に嵌入するカムフォロワ３ａと、ロングギヤー４５に噛合するギヤー部３ｂとが形成されている。
【００３０】
また、回転枠３の内周部には、光軸Ｏに対して傾斜する方向に形成された三群用カム溝３ｄと、光軸Ｏに沿う方向に形成されたカム枠用直進溝３ｃとを有している。さらに、回転枠３の内周後端部には、内方に向けて突出するように形成される突部３ｅが設けられている。
【００３１】
なお、回転枠３の先端側の外周部分及び前面側の外周縁部近傍には、その外面を覆うように外装部材であるキャップ部材３ｘが接着等により配設されている。
【００３２】
上述したように、回転枠３のカムフォロワ３ａは、固定枠２のカム溝２ａに摺動自在に嵌入しており、ギヤー部３ｂは、ロングギヤー４５に噛合している。したがって、ズーミングユニット１７のズームモータが駆動されて、ロングギヤー４５が回転駆動されると、その駆動力がギヤー部３ｂを介して回転枠３に伝達され、当該回転枠３を回転させるようになっている。こうして回転枠３が回転すると、当該回転枠３のカムフォロワ３ａが固定枠２のカム溝２ａの傾斜カム溝部に沿って移動することで、同回転枠３は、回転しながら所定の沈胴位置から撮影状態における短焦点位置にまで前方に繰り出される。そして、本レンズ鏡筒１が撮影状態にあるときには、短焦点位置から長焦点位置までの間におけるズーミング動作中には、当該回転枠３は、カムフォロワ３ａとカム溝２ａの円周溝部とによって光軸Ｏに沿う方向には進退することなく回転方向にのみ駆動されるようになっている。
【００３３】
移動枠４は、円筒形状に形成されており、回転枠３の内周部において相対的に回転自在に嵌入している。この移動枠４の後端外周部には、固定枠２の直進溝２ｂに嵌入するガイド突起部４ａが外方に向けて突設されている。これにより、当該移動枠４は、固定枠２によって回転規制された状態で光軸方向への進退移動が可能となっている。
【００３４】
また、移動枠４には、光軸Ｏに沿う方向に形成された三群用直進溝４ｂと、光軸Ｏに対して傾斜する方向に形成されるカム枠用カム溝４ｃと、外周後方部に形成される有底の円周溝４ｅとが設けられている。なお、三群用直進溝４ｂ，カム枠用カム溝４ｃは、いずれも内外周を貫通してなる溝部となっている。
【００３５】
この移動枠４は、回転枠３の突部３ｅが円周溝４ｅに嵌入した状態で、回転枠３の内周部に嵌入するように配設されている。これにより、移動枠４は、回転枠３に対して相対的に回転が可能で、光軸Ｏに沿う方向に一体的に進退移動するようにバヨネット結合されている。
【００３６】
さらに、移動枠４の内周部には、光軸Ｏに沿う方向に形成され、後述の直進ガイド枠６のガイド突起部６ａが嵌入することで当該直進ガイド枠６の回転規制をおこなう直進溝４ｄが形成されている。
【００３７】
カム枠５は、円筒状に形成され、移動枠４の内周部に嵌入するように配置されている。このカム枠５は、外周後方部に外方に向けて突設されるカムフォロワ４１を有している。また、カム枠５の内周部には、光軸Ｏに対して傾斜する方向に形成される二群用カム溝５ａ及び一群用カム溝５ｂとが設けられている。
【００３８】
カム枠５のカムフォロワ４１は、移動枠４のカム枠用カム溝４ｃに摺動自在に係合しており、その係合状態で貫通している。そして、カムフォロワ４１の先端部は、回転枠３のカム枠用直進溝３ｃに嵌入して支持されている。これにより、カム枠５は、回転枠３と共に回動し、かつ回転枠３に対して相対的に光軸方向に進退する状態で支持されている。
【００３９】
なお、カム枠５の先端側の外周部分及び前面側の外周縁部近傍には、その外面を覆うように外装部材であるキャップ部材５ｘが接着等により配設されている。
【００４０】
直進ガイド枠６は、円筒状に形成されており、後端外周部に移動枠４の直進溝４ｄに嵌入するガイド突起部６ａを有している。また、直進ガイド枠６は、光軸Ｏに沿う方向に内外周を貫通するように形成される二群用直進溝６ｂと、光軸Ｏに沿う方向に外周面上に形成される有底の一群用直進溝６ｃと、前端側に形成されバリア駆動レバー（図示せず）を駆動する切り欠き状カム部６ｅとを有している。
【００４１】
そして、直進ガイド枠６は、カム枠５の内側に配置される一群枠１２の内周部に嵌入した状態に配置されている。このとき、直進ガイド枠６のガイド突起部６ａが移動枠４の直進溝４ｄに嵌入している。これにより、当該直進ガイド枠６は、移動枠４により進退自在に支持されると共に回転規制されている。また、直進ガイド枠６の一群用直進溝６ｃに一群枠１２のガイド突部（図示せず）が嵌入している。これにより、当該直進ガイド枠６は、一群枠１２を進退自在に支持すると共に回転規制している。直進ガイド枠６は、カム枠５に対して回転自在となっており、かつ光軸Ｏに沿う方向に対しては、カム枠５と一体に移動するようになっている。
【００４２】
バヨネットプレート１９は、例えば薄板状の金属部材を略円環形状に形成したものであって、その外周縁部には、複数（本実施形態では３つ）の係合部１９ｂが円周上において略等間隔に、光軸Ｏに沿う方向（前方，被写体側）に向けて突設されている。また、バヨネットプレート１９の内周縁部には、複数（本実施形態では３つ）の突部１９ａが円周上において略等間隔に、光軸Ｏに対して直交する方向に向けて突設されている。
【００４３】
バヨネットプレート１９は、被写体側（前方）から直進ガイド枠６に嵌合し、当該直進ガイド枠６の後端縁部に配設されるようになっている。この場合において、突部１９ａは、直進ガイド枠６の直進溝６ｃを通過しながら円周溝６ｄに嵌入するようになっている。これにより、バヨネットプレート１９と直進ガイド枠６とは、一体となり、この状態において、バヨネットプレート１９は、直進ガイド枠６に対して相対的に回転可能となっている。こうして、バヨネットプレート１９を一体化した直進ガイド枠６は、カム枠５の内周側に、当該カム枠５の後方側（撮像素子側）から挿入されるようになっている。
【００４４】
このとき、バヨネットプレート１９の係合部１９ｂは、カム枠５の後端部近傍の外周面上において外方に向けて突設される突部５ｃに係合されるようになっている。その結果、カム枠５と直進ガイド枠６とは相対的に回転可能で、光軸Ｏに沿う方向には一体に進退可能となっている。
【００４５】
二群枠１１は、円筒状に形成され、直進ガイド枠６の内周部に嵌入された状態に配置されている。この二群枠１１の略中央部には二群レンズ２２が保持されており、外周部には外方に突設されるガイド突部１１ａと、このガイド突部１１ａ上において外方に突設されるカムフォロワ４３とを有している。
【００４６】
ガイド突部１１ａは、直進ガイド枠６の二群用直進溝６ｂに嵌入するようになっており、カムフォロワ４３は、二群用直進溝６ｂを挿通して、その外方に設けられるカム枠５の二群用カム溝５ａに摺動可能に嵌入している。したがってこれにより、二群枠１１は、直進ガイド枠６によって回転規制された状態で、カム枠５によって進退駆動されるようになっている。
【００４７】
一群枠１２は、図２に示すように、円筒状に形成される枠部材２０と、一群レンズ２１を保持する一群レンズ保持枠２０ａ（図１では不図示。図２参照）等からなり、直進ガイド枠６の外周側であって、カム枠５の内周側に嵌入した状態に配置されている。そして、一群枠１２における枠部材２０の略中央部には、一群レンズ２１を保持した状態の一群レンズ保持枠２０ａが保持されている。
【００４８】
一群枠１２の前面内側には、一群レンズ２１の前面を開閉自在とするレンズバリア２７が配置されている。一群枠１２の外周側後端部には、外方に向けて突出するカムフォロワ４４が配設されている。一群枠１２の内周部には、光軸Ｏに沿う方向に形成され、内方に向けて突設されるガイド突部（図示せず）を有している。なお、一群枠１２についてのさらに詳しい構成は、図３，図４等を用いて後述する。
【００４９】
上記カムフォロワ４４は、カム枠５の一群用カム溝５ｂに嵌入し、一群枠１２のガイド突部（図示せず）が直進ガイド枠６の一群用直進溝６ｃに嵌入するようになっている。したがってこれにより、一群枠１２は、直進ガイド枠６によって回転規制された状態で、カム枠５によって進退駆動されるようになっている。
【００５０】
レンズバリア２７は、一群枠１２の前端部において回動自在に支持されており、バネ付勢された状態で回動自在に支持されるバリア駆動レバー（図示せず）によって開閉駆動されるようになっている。このバリア駆動レバーは、当該レンズ鏡筒１の沈胴動作時に直進ガイド枠６の切り欠き状カム部６ｅによって回動駆動されるのに連動してレンズバリア２７を閉方向に駆動するようになっている。
【００５１】
シャッター及び三群ユニット３２は、後端側に配設される三群用直進枠７と、前端側に配設される押さえ板部材８と、シャッター機構を保持するシャッター枠９と、三群レンズ２３を保持し退避レンズ枠である三群枠１０等によって構成されている。
【００５２】
三群用直進枠７は、外方の三方向に向けて延出するように形成される腕部の各先端にそれぞれ設けられるガイド突部７ａと、各ガイド突部７ａからさらに外方に向けて突設されるカムフォロワ４２とを有して形成されている。また、三群用直進枠７は、三群枠１０を光路外に退避させ得るのに充分な退避空間を有するように形成されている。
【００５３】
三群用直進枠７は、移動枠４の内部に嵌入した状態で配置され、ガイド突部７ａが移動枠４の三群用直進溝４ｂに嵌入し、カムフォロワ４２が回転枠３の三群用カム溝３ｄに嵌入されるようになっている。これにより、当該三群用直進枠７は、移動枠４によって回転規制された状態で、回転枠３によって進退駆動されるようになっている。
【００５４】
シャッター枠９は、中央開口部を開閉するシャッター羽根（図示せず）や、このシャッター羽根を回動駆動させるシャッターアクチュエータ等を含むシャッター機構を有して構成されている（詳細構成は省略する）。
【００５５】
三群枠１０は、シャッター及び三群ユニット３２の所定の位置に組み付けられた状態において、所定の支持軸によって回動自在に支持されており、かつ三群用直進枠７と押さえ板部材８とによって光軸Ｏに沿う方向への移動が規制された状態に保持されている。また、シャッター枠９は、三群枠１０の前側に配置されている。
【００５６】
四群枠１３は、四群レンズ２４を保持する枠部材である。四群枠１３の外周には、外方に向けて延出する長腕部１３ｅ及び短腕部１３ｆが設けられている。長腕部１３ｅの先端部近傍には、上記フォーカシングユニット１８のガイド軸５７（図２参照）が挿通される軸穴１３ａが形成されている。また、短腕部１３ｆの先端部近傍には、固定枠２の直進溝２ｃ（図示せず）に摺動自在に係合されるガイド突起部１３ｂが形成されている。
【００５７】
この四群枠１３は、固定枠２の内部における後方に挿入配置されており、固定枠２に対して光軸Ｏに沿う方向に進退自在となっている。
【００５８】
即ち、四群枠１３は、フォーカシングユニット１８のフォーカス駆動源（フォーカスモータ）の駆動力によってギヤー列，送りネジを介してガイド軸５７が回動されると、このガイド軸５７に沿う方向、即ち光軸Ｏに沿う方向に進退駆動されて、撮影状態にあるときには適切なフォーカシング位置に、また沈胴動作時には所定の沈胴位置に配置されるようになっている。
【００５９】
また、四群枠１３の略中央部には開口部が穿設されており、この開口部の内側部分に四群レンズ２４が固定保持されている。
【００６０】
保持プレート１５は、樹脂製または金属製の板状部材からなり、組み立てられた状態のレンズ鏡筒１における固定枠２の後端面に対して、例えばビス等によって固定されている。この保持プレート１５には、略中央部に開口（図示せず）が設けられている。
【００６１】
ここで、一群枠１２の構成について、図３，図４を併せて用いて、さらに詳述する。
【００６２】
上述したように一群枠１２を構成する構成部材のうち一群レンズ保持枠２０は、略中央部に一群レンズ２１を保持し（図３では図示せず）、この一群レンズ２１の外周側の空間に各種の構成部材が配設されている。
【００６３】
そして、これらの構成部材が前面側から露呈するのを覆い隠すために、一群レンズ保持枠２０の前面側には、装飾板部材１２ｃ及びキャップ部材１２ｄ等からなる外装部材が配設されている。
【００６４】
装飾板部材１２ｃは、略中央部に略矩形状の撮影用光束通過窓１２ｃａを有し、円板形状の薄板部材によって形成されており、キャップ部材１２ｄのフランジ部１２ｄｂの開口１２ｄｃを覆うように配設されている。
【００６５】
キャップ部材１２ｄは、フランジ部１２ｄｂを有する環形状に形成され、一群レンズ保持枠２０の先端部の外周側を覆うように前面側から嵌合配置されている。この場合において、一群レンズ保持枠２０の先端部の外周面上には、図３，図４に示すように、二段の段差部、即ち第一段差部１２ｅ及び第二段差部１２ｆが形成されている。このうち、先端側の第一段差部１２ｅには、弾性を有する部材、例えばソルボ繊維やゲル状シート部材等によって円環形状に形成された衝撃吸収部材５６が全周に亘って収納されるように配設されている。
【００６６】
この衝撃吸収部材５６は、一群レンズ保持枠２０の第一段差部１２ｅに対して、例えば弾性を有する接着剤等によって接着されている。そのために、第一段差部１２ｅには、その外周面上の円周上に複数（本実施形態では三箇所）の凹部１２ｇが等間隔に形成されている。この凹部１２ｇに接着剤を塗布した状態で、衝撃吸収部材５６を一群レンズ保持枠２０の前面側から第一段差部１２ｅの外周に嵌合させると、衝撃吸収部材５６は、第一段差部１２ｅに収納された状態で凹部１２ｇの接着剤によって接着され、このとき凹部１２ｇは、接着剤溜まりとして機能するようになっている。
【００６７】
そして、衝撃吸収部材５６を一群レンズ保持枠２０の第一段差部１２ｅに嵌合させた状態において、その外周側を覆うようにキャップ部材１２ｄが嵌合配置されるようになっている。この場合において、キャップ部材１２ｄと衝撃吸収部材５６との間も弾性を有する接着剤等によって接着されるようになっている。そのために、キャップ部材１２ｄの内周面側には、上述の凹部１２ｇと同様の形態の凹部１２ｄａが同様に内周面上において等間隔に形成されている。
【００６８】
したがって、この凹部１２ｄａに接着剤を塗布した状態のキャップ部材１２ｄを、一群レンズ保持枠２０の第一段差部１２ｅに嵌合させた衝撃吸収部材５６の外周側を覆うように嵌合配置させると、キャップ部材１２ｄと衝撃吸収部材５６とは、凹部１２ｄａの接着剤によって接着され、このとき凹部１２ｄａは、接着剤溜まりとして機能するようになっている。
【００６９】
このように、一群レンズ保持枠２０に対して衝撃吸収部材５６を介してキャップ部材１２ｄが嵌合配置されるようになっている。
【００７０】
即ち、一群レンズ保持枠２０は、レンズ鏡筒１を形成する枠部材のうちの一つである。また、キャップ部材１２ｄは、枠部材である一群レンズ保持枠２０の外面を覆う外装部材の一部を構成している。そして、衝撃吸収部材５６は、枠部材である一群レンズ保持枠２０と外装部材であるキャップ部材１２ｄとの間、より詳しくは、一群レンズ保持枠２０（枠部材）の外周面とキャップ部材１２ｄ（外装部材）の内周面との間に配置されている。
【００７１】
この場合において、一群レンズ保持枠２０とキャップ部材１２ｄとの間には、若干の隙間が生じるように設定されている（図４に示す符号Ｄ１，Ｄ２，Ｄ３）。
【００７２】
即ち、一群レンズ保持枠２０（枠部材）の光軸Ｏ方向の先端面とキャップ部材１２ｄ（外装部材）の光軸Ｏに対して垂直に配されるフランジ部１２ｄｂの内側面との間に光軸Ｏ方向に空間（隙間Ｄ２）が形成されている。
【００７３】
また、これと同時に、一群レンズ保持枠２０（枠部材）の第二段差部１２ｆの段部１２ｆａと、この段部１２ｆａに対向する面であってキャップ部材１２ｄ（外装部材）の後端縁部１２ｄｄとの間には、光軸方向に隙間Ｄ２と略同寸法の隙間Ｄ１が形成されている。
【００７４】
さらに、一群レンズ保持枠２０の第二段差部１２ｆの外周面とキャップ部材１２ｄの内周面との間には、隙間Ｄ３が形成されている。そのために、衝撃吸収部材５６の厚さ寸法は、該衝撃吸収部材５６を第一段差部１２ｅに嵌合させた状態としたときに、衝撃吸収部材５６の厚さが第一段差部１２ｅの段寸法よりも若干高く（厚く）なるように設定されている。
【００７５】
このように構成された本実施形態のレンズ鏡筒１において、例えば一群枠１２の先端部近傍に対して衝撃力が加わった場合の作用を以下に説明する。
【００７６】
例えば、キャップ部材１２ｄに対して図４の矢印Ｆ２方向から衝撃力が加わった場合には、衝撃吸収部材５６は、隙間Ｄ３が設けられていることによって、同隙間Ｄ３の分だけ圧縮する余裕がある。したがって、この場合には、矢印Ｆ２方向からの衝撃即ち、レンズ鏡筒側方からの衝撃において、衝撃吸収部材５６が圧縮され、キャップ部材１２の変形、即ち楕円形の変形により衝撃Ｆ２以外の円周上の部位、特に楕円変形の長軸方向に位置する衝撃吸収部材５６にはせん断変位及び引っ張り変位をも与えられ、さらに衝撃Ｆ２を受けた部位とは逆側の円周部位では衝撃吸収部材５６にキャップ部材１２の移動による引っ張りと変形による圧縮の合成分の変位が与えられ、円周全域においてその衝撃エネルギーが吸収されることになる。
【００７７】
一方、キャップ部材１２ｄに対して図４の矢印Ｆ１方向から衝撃力が加わった場合には、衝撃吸収部材５６は、隙間Ｄ１，Ｄ２が設けられていることによって、同隙間Ｄ１，Ｄ２の分だけ光軸Ｏに沿う方向にせん断変位する余裕がある。したがって、この場合には、矢印Ｆ１方向からの衝撃は、衝撃吸収部材５６がせん断変位することによって吸収される。
【００７８】
以上説明したように上記一実施形態によれば、レンズ鏡筒１を形成する枠部材のうち一群枠１２の一群レンズ保持枠２０の外周面と、この一群レンズ保持枠２０の先端側の外面を覆う外装部材のうちキャップ部材１２ｄの内周面との間に衝撃吸収部材５６を配置している。また、一群レンズ保持枠２０の光軸Ｏ方向の先端面とキャップ部材１２ｄの光軸Ｏと垂直に配されるフランジ部１２ｄｂの内面との間に光軸Ｏ方向に空間（隙間Ｄ２）を設けている。そして、キャップ部材１２ｄは、一群レンズ保持枠２０に対して衝撃吸収部材５６をせん断変位させるように配設されている。このような構成により、キャップ部材１２ｄに対して前面からの衝撃が加わったときには、衝撃吸収部材５６がせん断変位することにより、キャップ部材１２ｄは設定された空間、即ち隙間Ｄ２の範囲内で位置変位することで、加わる衝撃を吸収することができる。これにより、衝撃により枠部材である一群レンズ保持枠２０の破損やこれに連なる内部構成部材の破損等を抑止することができる。
【００７９】
なお、上述の一実施形態においては、衝撃吸収部材５６を配設する枠部材として、一群枠１２の一群レンズ保持枠２０を例に挙げて説明したが、この例のみに限らず、衝撃吸収部材５６は、外装部材（キャップ部材）を有する他の枠部材であって外部からの衝撃を受け得る枠部材、即ち回転枠３やカム枠５に適用することも同様に可能であり、その場合には同様の作用及び効果を得ることができる。
【００８０】
なお、本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００８１】
【図１】本発明の一実施形態のレンズ鏡筒の構成を示す分解斜視図。
【図２】本実施形態のレンズ鏡筒の光軸に沿う断面図。
【図３】本実施形態のレンズ鏡筒における一群枠の外装部材の構成を示す要部拡大分解斜視図。
【図４】本実施形態のレンズ鏡筒の一群枠の外装部材の先端部近傍の断面の一部（図２の［ＩＶ］部）を拡大して示す要部拡大断面図。
【図５】従来のレンズ鏡筒の要部拡大断面図。
【符号の説明】
【００８２】
１……レンズ鏡筒
２……固定枠
３……回転枠
３ｘ……キャップ部材
４……移動枠
５……カム枠
５ｘ……キャップ部材
６……直進ガイド枠
７……三群用直進枠
９……シャッター枠
１０……三群枠
１１……二群枠
１２……一群枠
１２ｃ……装飾板部材
１２ｄ……キャップ部材
１２ｄａ……凹部
１２ｄｂ……フランジ部
１２ｄｃ……開口
１２ｄｄ……後端縁部
１２ｅ……第一段差部
１２ｆ……第二段差部
１２ｆａ……段部
１２ｇ……凹部
１３……四群枠
１５……保持プレート
１９……バヨネットプレート
２０……一群レンズ保持枠
２６……撮像素子
２７……レンズバリア
３３……撮像ユニット
５６……衝撃吸収部材
１１２ｄ……キャップ部材
１２０……枠部材
【図１】
2009157245.tif 000003
【図２】
2009157245.tif 000004
【図３】
2009157245.tif 000005
【図４】
2009157245.tif 000006
【図５】
2009157245.tif 000007